(57)【要約】【課題】撮影した写真画像を、パーソナルコンピュータなどを介することなく、外部装置に直接送信して出力することができる撮像装置に関するものであって、特に、撮像装置側で設定する出力条件の設定画面において文字化けなどを起さずに、所定の操作画面を表示することができる撮像装置を得る。【解決手段】被写体を表す光学像を撮像手段にて電気信号に変換して生成した画像データを画像ファイルとして記録する記憶手段と、外部装置と接続するインターフェースとを有する撮像装置であって、外部装置が処理可能な能力に関する情報を受信し、受信した情報により操作画面を表示する表示手段を有する撮像装置による。【選択図】図２
2006319835.tif 000002
【特許請求の範囲】
【請求項１】
被写体を表す光学像を撮像手段にて電気信号に変換して生成した画像データを画像ファイルとして記録する記憶手段と、
外部装置と接続するインターフェースとを有する撮像装置であって、
外部装置から受信する外部装置が処理可能な能力に関する情報により操作画面を表示する表示手段を有することを特徴とする撮像装置。
【請求項２】
被写体を表す光学像を撮像手段にて電気信号に変換して生成した画像データを画像ファイルとして記録する記憶手段と、
外部装置と接続するインターフェースとを有する撮像装置であって、
外部装置から受信する外部装置が処理可能な能力に関する情報の文字コード種別を判断する判断手段と、
上記情報に含まれる表示可能な文字コードによる文字列情報を用いて表示用情報を生成する手段と、
上記表示用情報により操作画面を表示する表示手段を有することを特徴とする撮像装置。
【請求項３】
被写体を表す光学像を撮像手段にて電気信号に変換して生成した画像データを画像ファイルとして記録する記憶手段と、
外部装置と接続するインターフェースとを有する撮像装置であって、
外部装置から受信する外部装置が処理可能な能力に関する複数の文字列情報の文字コード種別を判断する判断手段と、
上記判断手段が表示可能と判断した文字列情報を用いて表示用情報を生成する手段と、
上記表示用情報により操作画面を表示する表示手段を有することを特徴とする撮像装置。
【請求項４】
被写体を表す光学像を撮像手段にて電気信号に変換して生成した画像データを画像ファイルとして記録する第一の記憶手段と、
外部装置と接続するインターフェースとを有する撮像装置であって、
外部装置が処理可能な能力に関する情報に対応する表示用情報を記憶する第二の記憶手段と、
外部装置から受信する外部装置が処理可能な能力に関する情報に対応する上記表示用情報が、上記第二の記憶手段に存在しない場合、上記外部装置から受信する情報によって表示用情報を生成する手段と、
上記生成した表示情報により操作画面を表示する表示手段を有することを特徴とする撮像装置。
【請求項５】
外部装置から受信する外部装置が処理可能な情報は画像情報を含む情報であって、
上記画像情報を用いて表示情報を生成して表示する表示手段を有する請求項１乃至４記載の撮像装置。
【請求項６】
外部装置から受信する外部装置が処理可能な情報は画像情報を含む情報であって、
上記情報に含まれる文字列情報と画像情報を用いて表示情報を生成して表示する表示手段を有する請求項１乃至４記載の撮像装置。
【請求項７】
上記画像情報はアイコンであることを特徴とする請求項５、６に記載の撮像装置。
【請求項８】
上記アイコンは、印刷時に使用する背景画像データを縮小し生成したものであることを特徴とする請求項７に記載の撮像装置。
【請求項９】
被写体を表す光学像を撮像手段にて電気信号に変換して生成した画像データを画像ファイルとして記録するステップと、
外部装置と接続するインターフェースによって外部装置と通信するステップと、
外部装置が処理可能な能力に関する情報を受信するステップと、
上記受信した情報により操作画面を表示するステップを有することを特徴とする撮像装置における画面表示方法。
【請求項１０】
被写体を表す光学像を撮像手段にて電気信号に変換して生成した画像データを画像ファイルとして記録するステップと、
外部装置と接続するインターフェースによって外部装置と通信するステップと、
外部装置が処理可能な能力に関する情報を受信するステップと、
上記受信した情報の文字コード種別を判断するステップと、
上記情報に含まれる表示可能な文字コードによる文字列情報を用いて表示用情報を生成するステップと、
上記表示用情報により操作画面を表示するステップを有することを特徴とする撮像装置における画面表示方法。
【請求項１１】
被写体を表す光学像を撮像手段にて電気信号に変換して生成した画像データを画像ファイルとして記録するステップと、
外部装置と接続するインターフェースによって外部装置と通信するステップと、
外部装置が処理可能な能力に関する複数の文字列情報を受信するステップと、
上記受信した複数の文字列情報の文字コード種別を判断するステップと、
表示可能と判断した文字列情報を用いて表示用情報を生成するステップを有することを特徴とする撮像装置における画面表示方法。
【請求項１２】
被写体を表す光学像を撮像手段にて電気信号に変換して生成した画像データを画像ファイルとして第一の記憶手段に記録するステップと、
外部装置と接続するインターフェースによって外部装置と通信するステップと、
外部装置が処理可能な能力に関する情報を受信するステップと、
上記受信した情報に対応する情報が、第二の記憶手段に存在するかチェックするステップと、
外部装置から受信する情報によって表示用情報を生成するステップと、
上記生成した表示用情報により操作画面を表示するステップを有することを特徴とする撮像装置における画面表示方法。
【請求項１３】
外部装置から受信する外部装置が処理可能な情報は画像情報を含む情報であって、
上記画像情報を用いて表示情報を生成して表示するステップを有することを特徴とする
請求項９乃至１２記載の撮像装置における画面表示方法。
【請求項１４】
外部装置から受信する外部装置が処理可能な情報は画像情報を含む情報であって、
上記情報に含まれる文字列情報と画像情報を用いて表示情報を生成して表示するステップを有することを特徴とする請求項９乃至１２記載の撮像装置における画面表示方法。
【請求項１５】
上記画像情報はアイコンであることを特徴とする請求項１３、１４に記載の撮像装置における画面表示方法。
【請求項１６】
上記アイコンは、印刷時に使用する背景画像データを縮小し生成したものであることを特徴とする請求項１５に記載の撮像装置における画像表示方法。
【発明の詳細な説明】
【技術分野】
【０００１】
本発明は、撮影した写真画像を、パーソナルコンピュータなどを介することなく、外部装置に直接送信して出力することができる撮像装置に関するものであって、特に、撮像装置側で設定する出力条件の設定画面において文字化けなどを起さずに、所定の操作画面を表示することができる撮像装置に関するものである。
【背景技術】
【０００２】
撮像手段で撮影した写真画像をデジタル信号に変換し、不揮発性記憶媒体などの記憶装置に記録する撮像装置としてデジタルカメラが一般的である。またデジタルカメラに、通信ケーブルなどを介して直接接続することができる外部装置の代表例としてパーソナルコンピュータがある。近年は、パーソナルコンピュータだけはなく、利用者が望む処理機能のみを具備する機能特化型であって、デジタルカメラに直接接続して用いる外部装置が増えている。
【０００３】
デジタルカメラが直接接続する機能特化型の外部装置の代表例として、プリンターがある。上記プリンターは、通信ケーブルを介してデジタルカメラと直接接続し、デジタルカメラが内蔵する記憶媒体に記憶されている写真画像のデータファイル（以下「画像ファイル」という）を読み出して、印刷するものである。このように、直接接続可能なデジタルカメラとプリンターによって実現する印刷機能をダイレクトプリント機能と称する。
【０００４】
ダイレクトプリント機能を有するデジタルカメラに関する発明は多数あり（例えば特許文献１、特許文献２、特許文献３を参照）、その印刷処理の方法にそれぞれの工夫が存在する。一般的なダイレクトプリント機能を有するデジタルカメラを用いた写真画像印刷処理の例を図１４に示すフローチャートを用いて説明する。図１４において、各ステップを（２０１）、（２０２）、・・・のように表す。
【０００５】
デジタルカメラが通信ケーブルによってプリンターと物理的に接続されて通信可能状態になると（２０１）、デジタルカメラはプリンターに対しプリンターが処理することができる能力を表わす情報（以下「プリンター能力値」という）を送信するように要求する（２０２）。上記要求に対してプリンターは、デジタルカメラに対し自己のプリンター能力値を送信する（２０３）。デジタルカメラはプリンターが送信したプリンター能力値を受信し（２０３）、受信したプリンター能力値に格納されている情報を元にしてデジタルカメラが具備する表示装置よって利用可能な能力項目を表示する（２０５）。ここで能力項目とは、この接続したプリンターによって、デジタルカメラが選択できる処理の内容を示す情報であって、この情報を表示装置に視認可能に表示することで、利用者が任意の処理内容を選択することができる。
【０００６】
デジタルカメラがプリンターから受信するプリンター能力値の例と、プリンター能力値を元にした能力項目の表示の例を図１５に示す。図１５（ａ）はプリンター能力値の例である。図１５（ａ）に示すように、プリンター能力値はこのファイルがプリンター能力値であることを示す情報識別子３０、このプリンターが処理可能な能力項目を示す項目情報識別子３１と項目情報識別子３１に対応して、利用者が選択可能な各能力を示す能力項目群３２を含んで構成する所定の書式によって記述されたスクリプトファイルである。
【０００７】
図１５（ｂ）は、上記プリンター能力値を元にデジタルカメラが表示する操作選択画面の例である。図１５（ｂ）に示すように、画面１３０には、画面タイトル表示部１３０ａと操作メニューの表示部１３０ｂがある。デジタルカメラはプリンター能力値に記述される能力項目群３２に対応する表示用データを内部の記憶部に予め記憶している。従って、受信したプリンター能力値に記述されている能力項目等に対応する表示用データを上記記憶部から読み出し、利用者が視認しやすい情報形式に変換して表示する。
【０００８】
図１４に戻って、利用者は操作選択画面において所定の能力項目を選択した後に、印刷したい写真画像を指定し（２０６）、デジタルカメラの操作によって印刷要求処理を実行すると、デジタルカメラは印刷要求情報ファイルを生成してプリンターへ送信する（２０７）。印刷要求情報ファイルを受信したプリンターは、印刷要求情報ファイル内に記述されている印刷対象の画像ファイルをデジタルカメラに対して送信要求し、デジタルカメラは送信要求された画像ファイルをプリンターに対して送信する（２０８）。プリンターは受信した画像ファイルを用いて出力データを生成して印刷をし、この印刷処理が正常終了であったか、異常終了であったかを示す結果情報をデジタルカメラに送信する。デジタルカメラは、受信した結果情報によって、上記印刷処理が異常終了であった場合は、この印刷処理を終了する（２０９のＮｏ）。印刷処理が正常終了であった場合は（２０９のＹｅｓ）、先に選択した画像ファイルの全てに対して印刷処理が終了したか否かを判断して、まだ印刷が終了していない画像ファイルが存在すれば、処理をステップ２０７から繰り返す（２１０のｙｅｓ）。
【０００９】
【特許文献１】特開平１１−８８８１５号公報
【特許文献２】特開平１１−１４６３１１号公報
【特許文献３】特開２０００−２３２６１７号公報
【００１０】
このように、すでに説明した印刷処理において利用者が所望する処理を実行するためには、デジタルカメラに対して所定の操作を行うことが必要である。この操作を行う為には、プリンターから送信されてくるプリンター能力値を視認可能な情報によって表示することが必要となる。仮にプリンター側の機能拡張などによって、プリンター能力値に記述されている情報の中にデジタルカメラ側が対応できていない情報が含まれると、その項目は表示することができない。
【００１１】
また、デジタルカメラが対応していないプリンター能力値を受信した場合は、一律的に対応する表示用データを規定しておけば、全く何も表示されないという事態は回避することはできる。しかし、それでは、利用者にとって当該操作がいかなる処理を行うものであるのか、判別がつきにくいものになる。また、よりわかりやすくする為に、利用者が任意に表示用データを変更することができれば良いのであるが、そのような機能は提供されておらず、さらに利用者にとってよりわかりやすい表示にするために絵文字（アイコンなど）を用いることもできなかった。
【発明の開示】
【発明が解決しようとする課題】
【００１２】
本発明は上記問題を鑑みてなされたものであって、ダイレクトプリント機能を有する撮像装置において、印刷処理に必要な設定を行う為に表示する操作画面が、プリンター側が追加する新機能であっても視認可能に表示することができ、また、利用者がよりわかりやすい表示方法を指定することができる撮像装置を提供することを目的とする。
【課題を解決するための手段】
【００１３】
本発明は、被写体を表す光学像を撮像手段にて電気信号に変換して生成した画像データを画像ファイルとして記録する記憶手段と、外部装置と接続するインターフェースとを有する撮像装置であって、外部装置が処理可能な能力に関する情報を受信し、受信した情報により操作画面を表示する表示手段を有することを主要な特長とする。
【００１４】
上記表示手段で表示する操作画面は、外部装置から受信した情報に含まれる文字列を用いて生成した表示用情報によって表示されてもよい。また、上記文字列を表示可能な文字コードに変換した後に表示用情報を生成してもよい。また、外部装置から受信した情報と同時に受信した画像情報を用いて、表示用情報を生成してもよく、画像情報は複数の画像情報を受信した後に組み合わせて生成したものであってもよい。
【発明の効果】
【００１５】
本発明によれば、撮像装置における操作画面表示処理において、外部装置から受信した情報をそのまま表示することができなければ、表示可能な文字コードへの変換処理を行い、また、外部装置から受信するアイコン情報、画像情報を用いて、より視認が容易な操作画面を生成することができきるので、利用者は操作選択を容易に行うことができる。
【発明を実施するための最良の形態】
【００１６】
以下、本発明の実施形態について図を用いて説明する。図１は本発明に係る撮像装置の例を示す機能ブロック図である。
【００１７】
図１において、デジタルカメラ１は、撮影した写真画像の画像ファイルを記憶する外部記憶装置１１と、ＣＣＤやＡＤ変換器など画像情報の入力部である撮像装置１２と、撮像操作に関する各種情報や撮影画像設定に関する各種情報を表示する表示装置１３と、外部からの操作入力を行う操作卓１４と、プリンター２との通信インターフェースを制御する通信Ｉ／Ｆ１５と、デジタルカメラ全体を制御する全体制御装置１０とを有する。
【００１８】
上記外部記憶装置１１は、フラッシュメモリなどに代表される記録媒体と、この記録媒体への情報の書き込みと読出しを制御するドライバ部を含むものである。また、全体制御装置１０は、ＣＰＵ／ＲＯＭ／ＲＡＭ／入出力ポート（Ｉ／Ｏポート）及びこれらを結ぶバスラインなどで構成される周知のマイクロコンピュータである。
【００１９】
デジタルカメラ１は通信Ｉ／Ｆ１５に接続されている通信手段３を介して外部装置２と通信可能に接続している。通信手段３は有線・無線を問わず使用可能であり、有線の具体例はＵＳＢ（Universal  Sirial  Bus）である。また、無線の具体例はBluetooth、Ｗｉ−ｆｉ（無線ＬＡＮ規格）、ＩｒＤＡ（赤外線通信）など広く一般に用いられている近距離無線通信方式である。一般にはＵＳＢを用いる形態が普及している。
【００２０】
上記ＲＯＭ及びＲＡＭで構成する記憶部は、ＣＰＵの処理手順（プログラム）を記憶している不揮発性メモリ（例えばフラッシュメモリ）などで構成されるものであって、この記憶部に記憶しているプログラムによって本発明に係る操作選択画面表示処理等が実行される。また、この記憶部は印刷処理プログラムを実行する際に、このプログラムが使用する各種パラメータの記憶をする他、ＣＰＵがプログラム処理時に使用するワークエリアとしても機能し、プリンターへの画像ファイル送信時には通信バッファメモリとしても機能する。
【実施例１】
【００２１】
本発明にかかる撮像装置における操作選択画面表示処理の実施形態について図２のフローチャートを用いて説明する。図２において処理の各ステップを（３０１）、（３０２）、・・・のように表す。
【００２２】
撮像装置であるデジタルカメラ１が通信Ｉ／Ｆ１５を介してプリンター２と接続され、通信可能な状態になると（３０１）、デジタルカメラ１の制御部であるＣＰＵはプリンター２に対してプリンター能力値の送信要求を行い、プリンター能力値を受信する（３０２）。次に、受信したプリンター能力値に含まれる各能力項目に対応する表示用データを全て具備するか否かの判断処理を行う（３０３）。この判断処理の結果、受信したプリンター能力値に対応する表示用データが具備されていなければ（３０３のＮｏ）、表示可能な表示用データを生成するための変換処理を行う（３０４）。変換処理によって生成する表示用データを用いて、表示装置１１において操作選択画面を表示する。
【００２３】
上記処理の結果、表示された操作選択画面において、利用者が所望する能力選択操作から操作卓１４を用いて所定の選択を行う。この後の処理は、既に説明した処理と同様である（図１４のステップ２０５）。
【００２４】
上記変換処理の詳細について説明する。図３に示すプリンター能力値を受信したデジタルカメラ１が、このプリンター能力値に含まれる能力項目群３２に対応する表示用データを具備していない場合、デジタルカメラ１はこの能力項目群３２に含まれる文字列を用いて操作選択画面の表示処理を行う。図３に示すプリンター能力値の例において、能力項目群３２には、能力項目３３と、文字コード情報３４、表示順番情報３５が含まれている。
【００２５】
デジタルカメラ１が表示可能な文字コードの種類が「US-ASCII」のみであるである場合に、図３のプリンター能力値を受信すると、操作選択画面に表示可能な表示用データは「１  ＵＰ」と「ＩＮＤＥＸ」となり、項目識別子３１によって指定する<Layouts>に対応する操作選択画面の、１番目の項目として「１  ＵＰ」を表示し、２番目の項目として「ＩＮＤＥＸ」を表示するよう表示用データの生成を行う。
【００２６】
上記の変換処理によって表示される操作選択画面の例を図４に示す。
【００２７】
このように、プリンター側に機能追加がされ、プリンター能力値に含まれる能力項目が追加された場合であっても、受信したプリンター能力値に含まれる情報を用いて表示可能な表示データを生成することができるので、操作選択画面に受信した全てのプリンター能力値に対応する操作選択可能な項目を表示することができる。
【実施例２】
【００２８】
次に本発明に係る撮像装置における操作選択画面表示処理の別の実施形態について図５のフローチャートを用いて説明する。図５において処理の各ステップを（５０１）、（５０２）、・・・のように表す。
【００２９】
撮像装置であるデジタルカメラ１が通信Ｉ／Ｆ１５を介してプリンター２と接続され、通信可能な状態になると（５０１）、デジタルカメラ１はプリンター２に対してプリンター能力値の送信要求を行う。プリンター２からプリンター能力値を受信し（５０２）、このプリンター能力値を受信した後に、プリンター能力値に対応するアイコンファイルも受信したか否かを判断する（５０３）。上記受信処理でアイコンファイルを受信した場合（５０３のＹｅｓ）、プリンター能力値とアイコンファイルを用いて表示用データの生成処理を行い（５０４）、生成した表示用データを用いて操作選択画面の表示を行う。
【００３０】
上記の例において、デジタルカメラ１がプリンター２から受信するプリンター能力値とアイコンファイルの例を図６及び図７にて示す。図６に示すプリンター能力値に付した符号は既に説明した能力値と同じものには同じ符号を用いている。このプリンター能力値に含まれる能力項目群３２は、<lineFormatA>から<lineFormatD>までの４つの選択可能な能力項目を含んでいる。この４つの能力項目はレイアウト能力である。ここで、アイコンファイルとは、プリンター能力値に対応し、当該能力を画像イメージで表示する為の複数のアイコンを含むファイルであって、ビットマップ形式などの画像情報の一種である。図７にアイコンファイルの例を示す。図７において、各アイコンファイルは上記プリンター能力値に含まれる各能力項目に対応するファイル名が付与されている。
【００３１】
上記能力項目群３２に対応する表示用データと、上記アイコンファイルを用いて表示用データを生成し、表示装置１１にて表示する。表示装置１１に表示される操作選択画面の例を図８に示す。
【００３２】
図８に示すように操作選択画面には、表示タイトル８０と、選択項目８１と、設定操作表示８２と、アイコン８３とがある。選択項目８１の１つを操作卓１４の操作により選択して設定することで、設定したレイアウト能力を用いた画像ファイルの印刷を行うことができる。
【００３３】
また上記の表示用データ生成処理において、デジタルカメラ１が受信したプリンター能力値が、能力項目群３２に対応するアイコンファイルを指定するのではなく、図９の例の例のように表示生成規則３５を含んだものである場合は、能力項目群３２のそれぞれに対応したコマ数の情報<listLayoutKomaNum>と罫線の有無の情報<listLayoutline>によって、各能力項目に対応する表示用アイコンを生成することができる。この生成した表示用アイコンと、能力項目群３２の能力項目によって、図８に示した操作選択画面を表示することができる。
【実施例３】
【００３４】
次に本発明に係る撮像装置における操作選択画面のさらに別の実施形態について説明する。デジタルカメラ１が通信Ｉ／Ｆ１５を介してプリンター２と接続され、プリンター２からプリンター能力値を受信すると同時に、プリンター２の図示しない記憶部に記憶されている画像ファイルを受信する。
【００３５】
図１０に上記プリンター２から受信する画像ファイルの例を示す。図１０において、４つの画像ファイルはＪＰＥＧ形式の画像ファイルであって、この画像ファイルがプリンター２の記憶部に記憶されている。この画像ファイルは図１１のようなファイル構造によって記憶されている。
【００３６】
デジタルカメラ１は、受信した画像ファイルの縮小加工処理を行い、アイコンファイルの代わりとして表示用データ生成処理に用いることで、図８に示した操作選択画面を表示することが可能となる。
【実施例４】
【００３７】
次に本発明に係る撮像装置における操作選択画面表示処理のさらに別の実施形態について説明する。プリンター２と通信可能に接続したデジタルカメラ１が、図１２に示したプリンター能力値を受信した場合、能力項目群３２に含まれる<Original>の文字列によって、図１３に示す操作選択画面の表示を行うことができる。
【００３８】
図１３の表示画面例は、<Original>を「工事写真」に変換して表示用データを生成した例である。このように、デジタルカメラ１の記憶部に、予め規定した能力項目に対応する表示用データを記憶しておくことで、利用者が任意に表示用データを設定することが可能となる。
【産業上の利用可能性】
【００３９】
本発明は、ＵＳＢ接続でプリンターと接続するカメラ付携帯電話などにも適用できる。
【図面の簡単な説明】
【００４０】
【図１】本発明に係る撮像装置の例であるデジタルカメラの制御系統を示すブロック図である。
【図２】本発明に係る撮像装置を用いて行う操作メニュー表示処理の例を示すフローチャートである。
【図３】本発明に適用可能なプリンターからデジタルカメラが受信するプリンター能力値ファイルの記述例である。
【図４】本発明に係る撮像装置の表示装置における画面表示の例を示す説明図である。
【図５】本発明に係る撮像装置を用いて行う操作メニュー表示処理の別の例を示すフローチャートである。
【図６】本発明に適用可能なプリンターからデジタルカメラが受信するプリンター能力値ファイルの記述例である。
【図７】本発明に適用可能なプリンターからデジタルカメラが受信するアイコンファイルの例である。
【図８】本発明に係る撮像装置の表示装置における画面表示の例を示す説明図である。
【図９】本発明に適用可能なプリンターからデジタルカメラが受信するプリンター能力値ファイルの記述例である。
【図１０】本発明に適用可能なプリンターからデジタルカメラが受信する背景となる画像ファイルの例である。
【図１１】本発明に適用可能なプリンターからデジタルカメラが受信する背景となる画像ファイルのプリンターの記憶装置に格納するイメージを示す説明図である。
【図１２】本発明に適用可能なプリンターからデジタルカメラが受信するプリンター能力値ファイルの記述例である。
【図１３】本発明に係る撮像装置の表示装置における画面表示の例を示す説明図である。
【図１４】本発明に係る撮像装置を用いて行う印刷処理の例を示すフローチャートである。
【図１５】本発明に適用可能なプリンターからデジタルカメラが受信するプリンター能力値ファイルと、このプリンター能力値を用いた本発明に係る撮像装置の表示装置における画面表示の例を示す説明図である。
【符号の説明】
【００４１】
１  デジタルカメラ
２  プリンター
３  通信手段
３０  情報識別子
３１  項目情報識別子
３２  能力項目群
３３  能力項目群
３４  文字コード情報
３５  表示順番情報
【図１】
2006319835.tif 000003
【図２】
2006319835.tif 000004
【図３】
2006319835.tif 000005
【図４】
2006319835.tif 000006
【図５】
2006319835.tif 000007
【図６】
2006319835.tif 000008
【図７】
2006319835.tif 000009
【図８】
2006319835.tif 000010
【図９】
2006319835.tif 000011
【図１０】
2006319835.tif 000012
【図１１】
2006319835.tif 000013
【図１２】
2006319835.tif 000014
【図１３】
2006319835.tif 000015
【図１４】
2006319835.tif 000016
【図１５】
2006319835.tif 000017